(57)【要約】【課題】作業性を維持した状態で作業者の疲労を軽減する事が可能となる疲労軽減ウェアを提供すること。【解決手段】作業者１１が作業を行う場合の疲労を軽減する疲労軽減ウェア１０であって、作業者１１によって着用される疲労軽減ウェア１０であり、作業者１１が自己の肢体にて作業を行えるように、作業者の身体の少なくとも一部を支点として、作業者１１の肢体を支持する腕支持部３０、を備え、腕支持部３０は、作業者１１からの外力によって弾性的に変形し、また、作業者１１の腕以外の少なくとも一部に着用される本体部２０であって、腕支持部３０の少なくとも一部を、作業者１１の身体における支点となる一部に固定する本体部２０、を備える。【選択図】図１
2019049069.tif 000002
【特許請求の範囲】
【請求項１】
作業者が作業を行う場合の疲労を軽減する疲労軽減ウェアであって、前記作業者によって着用される前記疲労軽減ウェアであり、
前記作業者が自己の肢体にて作業を行えるように、前記作業者の身体の少なくとも一部を支点として、前記作業者の肢体を支持する肢体支持手段、を備え、
前記肢体支持手段は、前記作業者からの外力によって弾性的に変形する、
疲労軽減ウェア。
【請求項２】
前記作業者の前記肢体以外の少なくとも一部に着用される固定手段であって、前記肢体支持手段の少なくとも一部を、前記作業者の身体における前記支点となる一部に固定する前記固定手段、を備える、
請求項１に記載の疲労軽減ウェア。
【請求項３】
前記肢体支持手段と前記固定手段とは、相互に別体であり、
前記疲労軽減ウェアは、前記肢体支持手段と前記固定手段とを相互に着脱可能に固定する肢体支持手段用着脱手段、を備える、
請求項２に記載の疲労軽減ウェア。
【請求項４】
前記作業者の頭部を支持する頭部支持手段、を備える、
請求項１から３の何れか一項に記載の疲労軽減ウェア。
【請求項５】
前記作業者の頭部を支持する頭部支持手段であって、前記固定手段とは別体の前記頭部支持手段と、
前記頭部支持手段と前記固定手段とを相互に着脱可能に固定する頭部支持手段用着脱手段と、を備える、
請求項２又は３に記載の疲労軽減ウェア。
【請求項６】
前記作業者の腰部を支持する腰部支持手段、を備える、
請求項１から５の何れか一項に記載の疲労軽減ウェア。
【請求項７】
前記作業者に対して冷却又は加温する温度調整手段、を備える、
請求項１から６の何れか一項に記載の疲労軽減ウェア。
【発明の詳細な説明】
【技術分野】
【０００１】
本発明は、疲労軽減ウェアに関する。
【背景技術】
【０００２】
従来、一定の姿勢を保った状態で上向き作業を行う作業者の疲労を軽減する技術として、作業疲労軽減装置が提案されていた（例えば、特許文献１参照）。この特許文献１の作業疲労軽減装置においては、作業者の胴体に装着される胴体固定部と、作業者の腕を保持する保持部と、当該保持部を胴体固定部に対して支持する支持棒とが備えられており、当該作業疲労軽減装置を装着した作業者の腕を作業姿勢に保った状態で保持部にて保持する事により、作業者の疲労を軽減していた。
【先行技術文献】
【特許文献】
【０００３】
【特許文献１】特開２０１４−２３９６７４号公報
【発明の概要】
【発明が解決しようとする課題】
【０００４】
しかしながら、特許文献１の作業疲労軽減装置においては、作業者の腕を保持する保持部が支持棒によって支持されていたので、保持部にて保持した状態で支持棒（方杖）に対して交差する方向（例えば、直交する方向等）に作業者の腕を移動させる事が困難であり、作業者が自由に作業姿勢を変更する事ができずに、作業性が低下する可能性があった。
【０００５】
本発明は上記事実に鑑み、作業性を維持した状態で作業者の疲労を軽減する事が可能となる疲労軽減ウェアを提供する事を目的とする。
【課題を解決するための手段】
【０００６】
上述した課題を解決し、目的を達成するために、請求項１に記載の疲労軽減ウェアは、作業者が作業を行う場合の疲労を軽減する疲労軽減ウェアであって、前記作業者によって着用される前記疲労軽減ウェアであり、前記作業者が自己の肢体にて作業を行えるように、前記作業者の身体の少なくとも一部を支点として、前記作業者の肢体を支持する肢体支持手段、を備え、前記肢体支持手段は、前記作業者からの外力によって弾性的に変形する。
【０００７】
請求項２に記載の疲労軽減ウェアは、請求項１に記載の疲労軽減ウェアにおいて、前記作業者の前記肢体以外の少なくとも一部に着用される固定手段であって、前記肢体支持手段の少なくとも一部を、前記作業者の身体における前記支点となる一部に固定する前記固定手段、を備える。
【０００８】
請求項３に記載の疲労軽減ウェアは、請求項２に記載の疲労軽減ウェアにおいて、前記肢体支持手段と前記固定手段とは、相互に別体であり、前記疲労軽減ウェアは、前記肢体支持手段と前記固定手段とを相互に着脱可能に固定する肢体支持手段用着脱手段、を備える。
【０００９】
請求項４に記載の疲労軽減ウェアは、請求項１から３の何れか一項に記載の疲労軽減ウェアにおいて、前記作業者の頭部を支持する頭部支持手段、を備える。
【００１０】
請求項５に記載の疲労軽減ウェアは、請求項２又は３に記載の疲労軽減ウェアにおいて、前記作業者の頭部を支持する頭部支持手段であって、前記固定手段とは別体の前記頭部支持手段と、前記頭部支持手段と前記固定手段とを相互に着脱可能に固定する頭部支持手段用着脱手段と、を備える。
【００１１】
請求項６に記載の疲労軽減ウェアは、請求項１から５の何れか一項に記載の疲労軽減ウェアにおいて、前記作業者の腰部を支持する腰部支持手段、を備える。
【００１２】
請求項７に記載の疲労軽減ウェアは、請求項１から６の何れか一項に記載の疲労軽減ウェアにおいて、前記作業者に対して冷却又は加温する温度調整手段、を備える。
【発明の効果】
【００１３】
請求項１に記載の疲労軽減ウェアによれば、肢体支持手段を備えることにより、例えば、作業者の肢体を肢体支持手段に支持された状態で自由に移動させる事ができるので、作業性を維持した状態で作業者の疲労を軽減することが可能となる。
【００１４】
請求項２に記載の疲労軽減ウェアによれば、固定手段を備えることにより、例えば、肢体支持手段が作業者の体の支点となる一部からずれることを防止することができるので、肢体支持手段にて作業者の肢体を確実に支持することができ、作業者の疲労を確実に軽減することが可能となる。
【００１５】
請求項３に記載の疲労軽減ウェアによれば、肢体支持手段用着脱手段を備えることにより、例えば、作業者が肢体支持手段と固定手段とを別々に着用又は脱衣することができるので、疲労軽減ウェアの着用又は脱衣を容易に行うことができ、当該疲労軽減ウェアの使用性を向上させることが可能となる。
【００１６】
請求項４に記載の疲労軽減ウェアによれば、頭部支持手段を備えることにより、例えば、肢体に加えて頭部も支持することができるので、作業者の肢体の疲労軽減に加えて頸部の疲労も軽減することができ、作業者の疲労を一層軽減することが可能となる。
【００１７】
請求項５に記載の疲労軽減ウェアによれば、頭部支持手段用着脱手段を備えることにより、例えば、作業者が頭部支持手段と固定手段とを別々に着用又は脱衣することができるので、疲労軽減ウェアの着用又は脱衣を容易に行うことができ、当該疲労軽減ウェアの使用性を向上させることが可能となる。
【００１８】
請求項６に記載の疲労軽減ウェアによれば、腰部支持手段を備えることにより、例えば、肢体に加えて腰部も支持することができるので、作業者の肢体の疲労軽減に加えて腰部の疲労も軽減することができ、作業者の疲労を一層軽減することが可能となる。
【００１９】
請求項７に記載の疲労軽減ウェアによれば、冷却又は加温する温度調整手段を備えることにより、例えば、保冷剤や保温剤等を取付けることで作業者の体温を下げたり温めたりすることができるので、熱中症の予防・対策及び寒さによる怪我等を防止することができ、作業者の安全性を確保することが可能となる。特に、作業者の頸部に温度調整手段を設けた場合、身体における血流が比較的多い部分を冷却又は加温することができるので、作業者を効果的に冷却又は加温することが可能となる。
【図面の簡単な説明】
【００２０】
【図１】本実施の形態に係る疲労軽減ウェアを正面側から見た図である。
【図２】疲労軽減ウェアを背面側から見た図である。
【図３】本体部を正面側から見た図である。
【図４】腕支持部を裏側から見た図である。
【図５】腕支持部を表側から見た図である。
【図６】腕支持部を側面側から見た図である。
【図７】頭支持部を正面側から見た図である。
【図８】本体部及び本体部に吊り下げられた状態の腕支持部を正面側から見た図である。
【発明を実施するための形態】
【００２１】
以下に添付図面を参照して、この発明に係る疲労軽減ウェアの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、疲労軽減ウェアに関する。
【００２３】
ここで、「疲労軽減ウェア」とは、作業者が作業を行う場合の疲労を軽減する軽減手段であって、具体的には、作業者によって着用されるウェアであり、例えば、少なくとも肢体支持手段を備えるものであり、また、任意で固定手段、肢体支持手段用着脱手段、頭部支持手段、頭部支持手段用着脱手段、腰部支持手段、又は温度調整手段を備えるものである。
【００２４】
なお、「作業者」とは、作業を行う人又は動物（例えば、犬、猫等）であり、例えば、疲労軽減ウェアを着用し得る者である。「作業」とは、仕事をすることであり、例えば、作業者が一定の姿勢を維持した状態で行われる仕事等を含む概念である。そして、「作業」とは、一例としては、作業者が腕を上げて上方を向いた状態で行われる天井に関する作業、あるいは、作業者が腕を下げて下方を向いた状態で行われる床面に関する作業等の任意の作業を含む概念である。
【００２５】
また、「肢体支持手段」とは、作業者が自己の肢体にて作業を行えるように、作業者の身体の少なくとも一部を支点として、作業者の肢体を支持する手段であり、具体的には、作業者からの外力によって弾性的に変形するものである。
【００２６】
なお、「肢体」とは、人又は動物の腕又は脚であって、胴体とは異なる部分である。「支点」とは、作業者の肢体を支持するための基準となる点であって、作業者の身体の少なくとも一部の点であり、例えば、肢体以外の一部の点であり、一例としては、胸部（詳細には、肋骨が設けられている部分）の点、又は、腰部の点等を含む概念である。「作業者からの外力」とは、作業者から肢体支持手段に対して付与される力であり、例えば、作業者の肢体の自重、あるいは、作業者の筋肉にて発生した力等を含む概念である。
【００２７】
また、「固定手段」とは、作業者の肢体以外の少なくとも一部に着用されるものであって、具体的には、少なくとも、肢体支持手段の少なくとも一部を、作業者の身体における支点となる一部に固定するものであり、例えば、作業者の胸部に着用されるもの等を含む概念である。また、「固定手段」は、例えば、肢体支持手段と一体となっているもの、又は、肢体支持手段とは別体となっているもの、頭部支持手段と一体となっているもの、又は、頭部支持手段と別体となっているもの、あるいは、腰部支持手段と一体となっているもの、又は、腰部支持手段と別体となっているもの、等を含む概念である。
【００２８】
また、「肢体支持手段用着脱手段」とは、肢体支持手段と、当該肢体支持手段とは別体となっている固定手段とを相互に着脱可能に固定するものであり、例えば、面ファスナー、スナップボタン、又はファスナー等を含む概念である。
【００２９】
また、「頭部支持手段」とは、作業者の頭部を支持するものであり、例えば、作業者の首又は頭部付近に着用されるもの等を含む概念である。
【００３０】
また、「頭部支持手段用着脱手段」とは、頭部支持手段と、当該頭部支持手段とは別体となっている固定手段とを相互に着脱可能に固定するものであり、例えば、面ファスナー、スナップボタン、又はファスナー等を含む概念である。
【００３１】
また、「腰部支持手段」とは、作業者の腰部を支持するものであり、具体的には、作業者の腰部に着用されるものであり、例えば、腰部の骨盤を固定するいわゆるコルセットの如き機能を有するもの等を含む概念である。
【００３２】
また、「温度調整手段」とは、作業者に対して冷却又は加温するものであり、例えば、電力を用いて冷却又は加温する任意の装置、電力を用いずに単体で冷却する冷却体、又は、電力を用いずに単体で加温する発熱体等を含む概念である。
【００３３】
そして、以下に示す実施の形態では、「疲労軽減ウェア」が、肢体支持手段に加えて、固定手段、肢体支持手段用着脱手段、頭部支持手段、頭部支持手段用着脱手段、及び温度調整手段を備えており、また、「作業者」が腕を上げて上方を向いた状態で行われる天井に関する作業を行う人であり、また、「肢体」が腕であり、また、「支点」が胸部（詳細には、肋骨が設けられている部分）の点であり、また、「固定手段」が肢体支持手段及び頭部支持手段とは別体となっており、また、「肢体支持手段用着脱手段」及び「頭部支持手段用着脱手段」が面ファスナーであり、また、「温度調整手段」が電力を用いずに単体で冷却する冷却体である場合について説明する。
【００３４】
〔ＩＩ〕実施の形態の具体的内容
次に、実施の形態の具体的内容について説明する。
【００３５】
（構成）
まず、本実施の形態に係る疲労軽減ウェアの構成について説明する。図１は、本実施の形態に係る疲労軽減ウェアを正面側から見た図であり、図２は、疲労軽減ウェアを背面側から見た図である。
【００３６】
なお、図１及び図２においては、疲労軽減ウェア１０を着用した作業者１１が腕を上げて上方を向いている状態を図示しており、また、図１においては、作業者１１の正面側（つまり、胸部側）を図示しており、また、図２においては、作業者１１の背面側（つまり、胸部の反対側であり背中側）を図示している。また、作業者１１については、実際には、作業服に重ねて疲労軽減ウェア１０を着用しているが、作業服を着用している作業者１１の上半身の外形を破線で図示している。なお、本実施の形態では、疲労軽減ウェア１０を着用している作業者１１を基準にして、作業者１１の胸部側を「正面」又は「正面側」と称し、作業者１１の背中側を「背面」又は「背面側」と称し、鉛直方向において上方向を「上方」と称し、鉛直方向において下方向を「下方」と称して説明する。また、疲労軽減ウェア１０を着用している作業者１１を基準にして、作業者１１から離れる方向を「外側」、「表側」と称し、作業者１１に近付く方向を「内側」、「裏側」と称して説明する。
【００３７】
疲労軽減ウェア１０は、例えば、相互に別体となっている本体部２０、２個の腕支持部３０、及びと頭支持部４０を備えており、これら各部を相互に固定することにより構成されるものである。なお、２個の腕支持部３０については、相互に同様に構成されていることとし、２個の腕支持部３０を明示的に区別して説明する場合を除いて、１個の腕支持部３０について説明する。
【００３８】
（構成‐本体部）
図３は、本体部を正面側から見た図である。本体部２０は、固定手段であり、具体的には、作業者１１に着用されるものである。この本体部２０の具体的な種類や構成は任意であるが、例えば、全体としては所定の素材で製造されたノースリーブの衣服として構成されており、また、前見頃部２１、打ち合わせ部２２、後見頃部２３、及び肩部２４を備える。なお、本体部２０を製造するための素材については、任意の素材を適用することができるが、特徴的なものについてのみ以下説明する（疲労軽減ウェア１０の他の各部についても同様とする）。
【００３９】
（構成‐本体部‐前見頃部）
前見頃部２１は、本体部２０の正面側の一部であり、例えば、正面側において相互に重なる打ち合わせ部２２が形成される部分であり、また、本体部側着脱部２１１を備える部分である。なお、本体部側着脱部２１１については、後述する。
【００４０】
（構成‐本体部‐打ち合わせ部）
打ち合わせ部２２は、前見頃部２１の正面側の一部であり、例えば、相互に重なる一部であり、また、相互に重なっている部分が着脱自在に固定されるように所定の着脱手段（例えば、面ファスナー）が設けられている部分である。
【００４１】
（構成‐本体部‐後見頃部）
後見頃部２３は、本体部２０の背面側の一部であり、例えば、通気性を確保するために所定の素材（例えば、メッシュ素材等）にて製造されている部分である。
【００４２】
（構成‐本体部‐肩部）
肩部２４は、本体部２０の一部であり、例えば、前見頃部２１及び後見頃部２３を上方にて接続している部分であり、また、作業者１１の両肩に対応する位置に設けられる２個の部分であり、また、前見頃部２１及び後見頃部２３に連続している部分であり、また、本体部側着脱部２１１を備える部分である。
【００４３】
本体部側着脱部２１１は、肢体支持手段用着脱手段であり、また、頭部支持手段用着脱手段であり、具体的には、前述の前見頃部２１の外側の面及び正面側の肩部２４の外側の面における少なくとも一部に形成されているものであり、例えば、腕支持部３０及び頭支持部４０を着脱することが可能な面ファスナーであって、腕支持部３０及び頭支持部４０が設けられ得る位置（つまり、前見頃部２１及び肩部２４）に形成されているものである。
【００４４】
（構成‐腕支持部）
図４は、腕支持部を裏側から見た図であり、図５は、腕支持部を表側から見た図であり、図６は、腕支持部を側面側から見た図である。なお、図４は、図１の図面右側の（つまり、作業者１１の左腕用の）腕支持部３０を内側から見た状態を示しており、図５は、図１の図面右側の腕支持部３０を外側から見た状態を示しており、図６の（Ａ）は、図１の図面右側の腕支持部３０を正面側から見た状態を示しており、図６の（Ｂ）は、（Ａ）に図示されている腕支持部３０が折り曲げられた状態を示している。また、図４は、腕支持部３０の内部に設けられている要素を破線で図示している。なお、図１の図面左側の（つまり、作業者１１の右腕用の）腕支持部３０については、左腕用のものと左右が対称に構成されており、つまり、左腕用のものと同様に構成されているので、ここでは、特に、図４〜図６に図示されている左腕用のものに着目して説明する。
【００４５】
腕支持部３０は、肢体支持手段であり、具体的には、作業者１１に着用されるものであり、作業者１１の両腕を支持するように２個設けられているものである。この腕支持部３０の具体的な種類や構成は任意であるが、全体としては所定の素材で製造されているものであり、また、例えば、基部３１、上腕受部３２、巻付部３３、継目部３４、通気部３５、弾性部３６、及び吊下部３７を備える。
【００４６】
（構成‐腕支持部‐基部）
図４等の基部３１は、腕支持部３０の下方の一部であり、具体的には、本体部２０に着脱自在に固定される部分であり、例えば、図１の本体部２０の前見頃部２１における、作業者１１の脇近傍から下方に向かっての胸部に取付けられる部分である。また、基部３１は、例えば、上下方向の力（例えば、図４において、基部３１に対して上方から下方に向かって印加される力、及び、逆に基部３１に対して下方から上方に向かって印加される力）によって容易に折れ曲がらないよう、多少撓む程度の硬質部材からなることが好ましく、本実施形態ではプラスチック等の硬質合成樹脂の板を用いて構成されている部分である。また、基部３１は、例えば、作業者１１の胸部の曲面に対応するため、左右方向からの力（例えば、図４において、基部３１に対して図面左側から右側に向かって印加される力、及び逆に基部３１に対して図面右側から左側に向かって印加される力）には若干曲がるよう構成されている部分である。また、基部３１は、例えば、腕支持部側着脱部３１１を備える。なお、腕支持部側着脱部３１１については後述する。
【００４７】
（構成‐腕支持部‐上腕受部）
図４等の上腕受部３２は、腕支持部３０の上方の一部であり、具体的には、継目部３４を挟んだ基部３１と反対側に設けられる部分であり、例えば、図１の作業者１１の体の中心に向かってやや傾斜して、かつ体の前方にやや折れ曲がるよう取付けられて部分である。また、上腕受部３２は、例えば、作業者１１の上腕が載置される部分であり、また、基部３１と同様に多少撓む程度の硬質部材からなることが好ましく、本実施形態ではプラスチック等の硬質合成樹脂の板を用いて構成されている部分である。また、上腕受部３２の内面は、作業者１１が快適に作業することができるよう、吸湿性に優れた当て布が貼設されるとともに、作業中に作業者１１の腕がずれないよう、一部には滑り止め部材も貼設される（いずれも図示せず）。
【００４８】
（構成‐腕支持部‐巻付部）
図４等の巻付部３３は、上腕受部３２に設けられている部分であり、具体的には、図１の作業者１１の上腕に対して上腕受部３２を追従させる部分であり、例えば、作業者１１の上腕に巻き付けられて固定される部分である。巻付部３３は、例えば、図４の上腕受部３２の両側の縁から延在している２個の巻付片として構成されている部分、この２個の巻付片を相互に重ねて着脱自在に固定することができるように当該重なる部分に所定の着脱手段（例えば、面ファスナー）が設けられている。
【００４９】
（構成‐腕支持部‐継目部）
図４等の継目部３４は、基部３１と上腕受部３２との相互間に設けられている部分であり、具体的には、基部３１と上腕受部３２とを折り曲げ可能に接続する部分であり、例えば、図１の作業者１１が疲労軽減ウェア１０を着用した場合に、当該作業者１１の脇近傍に配置される部分である。継目部３４は、例えば、柔軟に曲がる素材（例えば、皮、合成皮革、布等）で製造されている部分であり、また、通気部３５を挟んで当該通気部３５の両側に設けられている部分である。
【００５０】
（構成‐腕支持部‐通気部）
図４等の通気部３５は、腕支持部３０の中央付近に設けられている部分であり、具体的には、通気性を確保するために設けられている部分であり、例えば、図１の作業者１１が疲労軽減ウェア１０を着用した場合に、当該作業者１１の脇近傍に配置される部分である。なお、ここで、基部３１及び上腕受部３２は、例えば、図６（Ｂ）に図示すように、基部３１と上腕受部３２とを継目部３４を基準に折り曲げたときにこれらが互いに干渉するのを防止するために、図４に図示されるように、全体として楕円形上に切り欠かれているが、通気部３５は、例えば、この切り欠かれている部分を覆うように楕円形状の素材（例えば、メッシュ生地の布の如き通気性を有する素材）を設けることにより構成される部分である。
【００５１】
（構成‐腕支持部‐弾性部）
図４の弾性部３６は、腕支持部３０を弾性的に支持しているものであり、具体的には、基部３１に対して上腕受部３２を支持しているものであり、例えば、図４の破線にて示すように、腕支持部３０の内部に設けられるものであり、また、腕支持部３０の外縁よりもやや内側に沿って設けられるものであり、基部３１、上腕受部３２、及び継目部３４を連通するものである。弾性部３６は、例えば、全体としては金属製のものであり、詳細には、２個の継目部３４に対応する位置にねじりコイルばねを備え、また、この２個の継目部３４に対応する位置以外の残りの位置において当該ねじりコイルばねに連続している線状体を備えるものである。
【００５２】
なお、この弾性部３６のねじりコイルばねの弾力については任意に設定することが可能であるが、例えば、作業者１１が腕を上げて作業を行う場合の作業者１１の負担を軽減することに留意し、作業者１１が腕の自重を支持する筋力負担を軽減し、且つ、作業者１１が作業中に腕を下す動作を容易に行えること（つまり、作業者１１が容易に姿勢を変更し得ること）を考慮して、作業者１１の腕の自重と釣り合う程度に設定されていることとする。実際には、作業者１１の如き複数の作業者に対する作業負担を軽減するための実験を行った上で、弾力を決定して、決定した弾力を有するねじりコイルばねを採用してもよい。
【００５３】
そして、例えば、弾性部３６がねじりコイルばねを備えることにより、腕支持部３０は、図６（Ｂ）に図示するように、作業者１１の腕の自重及び作業者１１が腕を下げようとする外力を受けて主に継目部３４に対応する部分が曲がり、その他の部分は若干撓むことになっている。また、例えば、弾性部３６が基部３１を図４の図面上下方向にわたるように設けられていることにより、基部３１が上下方向の力によって折れ曲がらないための補強がなされるとともに、左右方向からの力には特に抵抗せず基部３１の硬質合成樹脂の板が作業者の胸部の曲線に応じて撓むようになっている。
【００５４】
（構成‐腕支持部‐吊下部）
図４等の吊下部３７は、腕支持部３０を本体部２０に対して吊り下げる部分であり、具体的には、基部３１を本体部２０から取り外した場合に、腕支持部３０が落下することを防止する部分であり、例えば、基部３１の下方の端部に設けられている部分であり、また、腕支持部側着脱部３１１を備える部分である。
【００５５】
腕支持部側着脱部３１１は、肢体支持手段用着脱手段であり、具体的には、基部３１の内側の面における少なくとも一部に設けられているものであり、例えば、基部３１（図４に示す面）及び吊下部３７の外側の面（図５に示す面）に設けられているものであり、また、基部３１において図４の図面上下方向において延在するように２個設けられており、また、吊下部３７の外側の面全体に設けられているものであり、また、本体部２０の本体部側着脱部２１１に対して着脱することが可能な面ファスナーである。
【００５６】
（構成‐頭支持部）
図７は、頭支持部を正面側から見た図である。頭支持部４０は、頭部支持手段であり、具体的には、作業者１１に着用されるものである。この頭支持部４０の具体的な種類や構成は任意であるが、例えば、全体としては所定の素材で製造されているものであり、また、例えば、クッション部４１、ベルト部４２、及び温度調整部４３を備えるものである。
【００５７】
（構成‐頭支持部‐クッション部）
クッション部４１は、頭支持部４０のベルト部４２に挟まれている部分であり、具体的には、作業者１１の頭部を支持する部分であり、例えば、作業者１１の首の後側又は後頭部に当接させることによって、作業者１１が上向き作業をするときの首の負担を低減させる部分であり、また、クッション性のある（つまり、弾力のある）素材（例えば、発泡ポリエチレン等）を備えて構成されている部分である。
【００５８】
（構成‐頭支持部‐ベルト部）
ベルト部４２は、クッション部４１の両側に設けられている部分であり、具体的には、頭支持部４０を本体部２０に対して固定する部分であり、例えば、クッション部４１から両側に向かって突出している比較的長い部分であり、また、頭支持部側着脱部４２１を備える部分である。
【００５９】
頭支持部側着脱部４２１は、頭部支持手段用着脱手段であり、具体的には、頭支持部４０の内側の面（つまり、正面側の面）における少なくとも一部に設けられているものであり、例えば、ベルト部４２の内側の面に設けられているものであり、また、本体部２０の本体部側着脱部２１１に対して着脱することが可能な面ファスナーである。
【００６０】
温度調整部４３は、温度調整手段であり、具体的には、電力を用いずに単体で図１の作業者１１を冷却する冷却体であり、例えば、公知の保冷剤が充填されている保冷剤パックとして構成することができるものである。また、温度調整部４３は、作業者１１の凍傷を防止するために、クッション部４１に温度調整部４３である保冷剤パックを収容する収容ポケットを設けて、当該収容ポケットに収容することによりクッション部４１に設けられるものである。
【００６１】
（疲労軽減ウェアの使用方法）
次に、このように構成される疲労軽減ウェア１０の使用方法について説明する。具体的には、作業者１１が、相互に分離されている本体部２０、２個の腕支持部３０、及び頭支持部４０を着用する工程、着用した状態で作業を行う工程、及び疲労軽減ウェア１０を脱衣する工程に分けて説明する。また、これらの工程の説明の後に、上方以外の作業を比較的長時間行う工程について説明する。
【００６２】
（疲労軽減ウェアの使用方法‐着用する工程）
まず、作業者１１は、図３の本体部２０に腕を通して着用した上で、当該打ち合わせ部２２を作業者１１の胸部の前で相互に重ねて、打ち合わせ部２２の不図示の着脱手段にて固定する。
【００６３】
次に、作業者１１は、図７の頭支持部４０を着用する。具体的には任意であるが、例えば、クッション部４１を作業者１１の首の後側又は後頭部に当接させた状態で、ベルト部４２の頭支持部側着脱部４２１を図１の本体部２０の上方側の本体部側着脱部２１１に取り付けて、頭支持部４０を本体部２０に固定することにより着用する。
【００６４】
次に、作業者１１は、図４の腕支持部３０を着用する。具体的には任意であるが、例えば、まず、巻付部３３の２個の巻付片の一部同士を重ねて不図示の着脱手段にて相互に接続して、作業者１１の腕よりも大径となる通し穴が形成し、この形成した通し穴に作業者１１の上腕を通す。次に、継目部３４を作業者１１の脇近傍に持ってきながら、基部３１の内側の面に設けられている腕支持部側着脱部３１１を前見頃部２１の本体部側着脱部２１１に重ねることにより、基部３１を本体部２０に固定する。この場合、基部３１が作業者１１の胸部に固定されることになる。なお、このように基部３１に固定する場合、吊下部３７を基部３１と前見頃部２１との間に折り込んで、吊下部３７の外側の面に設けられている図５の腕支持部側着脱部３１１を前見頃部２１の本体部側着脱部２１１に重ねることにより、吊下部３７も基部３１と共に本体部２０に固定する。そして、図１及び図２のように、作業者１１は、疲労軽減ウェア１０を着用することになる。これにて、疲労軽減ウェア１０を着用する工程を終了する。
【００６５】
（疲労軽減ウェアの使用方法‐着用した状態で作業を行う工程）
次に、作業者１１は、疲労軽減ウェア１０を着用した状態で作業の対象となっている天井の下方に移動した後、腕を上げて上方を向いた状態で天井に関する作業を行う。この場合、疲労軽減ウェア１０が、以下に示すように、作業者１１の腕及び頭部を支持することになり、作業者の疲労を軽減することが可能となる。
【００６６】
腕の支持について具体的には、作業者１１の腕の自重の少なくとも一部は、上腕受部３２、弾性部３６及び継目部３４を介して基部３１に伝達され、この後、本体部２０に伝達された上で、基部３１と対向している作業者１１の胸部に伝達されて支持されことになる。つまり、疲労軽減ウェア１０が、作業者１１の胸部を支点として、作業者１１の腕を支持すことになるので、作業者１１の疲労を軽減することが可能となる。なお、前述したように、本体部２０の前見頃部２１に対する腕支持部３０の基部３１の固定は、一例としては、面ファスナーを用いて行われているが、作業中に作業者１１の腕から上腕受部３２に外力が加えられたとしても、当該外力は主に上方から下方に向かう力であるので、図４に示すように基部３１の腕支持部側着脱部３１１が延在している方向に対応しているために、腕支持部３０が本体部２０から意図に反して取り外されてしまうことを防止することが可能である。
【００６７】
頭部の支持について具体的には、作業者１１の頭部の自重の少なくとも一部は、クッション部４１を介して作業者１１の首の背面側の付け根当たりに伝達されて支持されることになる。つまり、疲労軽減ウェア１０が、作業者１１の首の背面側の付け根当たりを支点として、作業者１１の頭部を支持すことになるので、作業者１１の疲労を軽減することが可能となる。
【００６８】
なお、このように作業者１１が疲労軽減ウェア１０にて支持されている場合であっても、腕支持部３０が作業者１１からの外力によって弾性的に変形するので、作業者１１は、上方の作業以外の作業（例えば、比較的短時間の下方の作業等）も容易に行うことができる。特に、少なくとも、図４の継目部３４にて弾性部３６の不図示のねじりコイルばねにて基部３１と上腕受部３２とが相互に弾性的に折り曲げ可能となっているので、作業者１１は、腕を下方に下して比較的短時間の下方の作業も容易に行うことができる。これにて、疲労軽減ウェア１０を着用した状態で作業を行う工程を終了する。
【００６９】
（疲労軽減ウェアの使用方法‐脱衣する工程）
図８は、本体部及び本体部に吊り下げられた状態の腕支持部を正面側から見た図である。次に、図１の作業者１１は、巻付部３３の２個の巻付片の一部同士を重ねて形成された通し穴か腕を抜きながら、上腕受部３２を本体部２０から剥がすように正面側かつ下方に押える。この場合、基部３１が上下方向からの力によって折れ曲がらないよう構成されていることと相まって、基部３１が図１の矢印Ａに示すように、基部３１の先端部Ｔを支点として、上方から正面側に回動するようになる。この場合、腕支持部側着脱部３１１が本体部側着脱部２１１から上方から下方に向かって次第に剥がれていることになるので、容易に基部３１を取り外すことが可能となる。
【００７０】
なお、この場合、図５の吊下部３７の外側の面に設けられている腕支持部側着脱部３１１を前見頃部２１の本体部側着脱部２１１に未だ取り付けられた状態であるので、図８に示すように、腕支持部３０が本体部２０に吊り下げられることになり、腕支持部３０が落下することを防止することが可能となる。この後、吊下部３７を本体部２０から取り外することにより腕支持部３０を取り外し、また、図１の頭支持部４０を取り外し、更に、本体部２０を脱衣することにより、疲労軽減ウェア１０を脱衣する。これにて、疲労軽減ウェア１０を脱衣する工程を終了する。
【００７１】
（疲労軽減ウェアの使用方法‐上方以外の作業を比較的長時間行う工程）
また、上述のようにして、図１及び図２に示すように、疲労軽減ウェア１０を着用した作業者１１が上方の作業を終了し、下方の作業を比較的長時間行う必要がある場合には、前述の脱衣する工程で説明したように基部３１を取り外して、図８に示すように、腕支持部３０を吊り下げた状態にすることにより、下方の作業を容易に行うことが可能となる。これにて、上方以外の作業を比較的長時間行う工程を終了する。
【００７２】
（本実施の形態の効果）
本実施の形態によれば、腕支持部３０を備えることにより、例えば、作業者１１の腕を腕支持部３０に支持された状態で自由に移動させる事ができるので、作業性を維持した状態で作業者１１の疲労を軽減することが可能となる。
【００７３】
また、本体部２０を備えることにより、例えば、腕支持部３０が作業者１１の体の支点となる一部（例えば、胸部）からずれることを防止することができるので、腕支持部３０にて作業者１１の腕を確実に支持することができ、作業者１１の疲労を確実に軽減することが可能となる。
【００７４】
また、本体部側着脱部２１１及び腕支持部側着脱部３１１を備えることにより、例えば、作業者１１が腕支持部３０と本体部２０とを別々に着用又は脱衣することができるので、疲労軽減ウェア１０の着用又は脱衣を容易に行うことができ、当該疲労軽減ウェア１０の使用性を向上させることが可能となる。
【００７５】
また、頭支持部４０を備えることにより、例えば、腕に加えて頭部も支持することができるので、作業者１１の腕の疲労軽減に加えて頸部の疲労も軽減することができ、作業者１１の疲労を一層軽減することが可能となる。
【００７６】
また、本体部側着脱部２１１及び頭支持部側着脱部４２１を備えることにより、例えば、作業者１１が頭支持部４０と本体部２０とを別々に着用又は脱衣することができるので、疲労軽減ウェア１０の着用又は脱衣を容易に行うことができ、当該疲労軽減ウェア１０の使用性を向上させることが可能となる。
【００７７】
また、冷却する温度調整部４３を備えることにより、例えば、保冷剤等を取付けることで作業者１１の体温を下げることができるので、熱中症の予防・対策・防止等を行うことができ、作業者１１の安全性を確保することが可能となる。特に、作業者１１の頸部に温度調整部４３を設けた場合、身体における血流が比較的多い部分を冷却することができるので、作業者１１を効果的に冷却することが可能となる。
【００７８】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７９】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００８０】
（分散や統合について）
また、上述した各構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意に機能的または物理的に分散又は統合して構成できる。
【００８１】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００８２】
（本体部について（その１））
また、上記実施の形態の図３の本体部２０の肩部２４については、例えば、前見頃部２１及び後見頃部２３に対して予め結合して製造してもよい。このように構成した場合、着用及び脱衣が容易となる。また、肩部２４については、例えば、前見頃部２１又は後見頃部２３の一方に対して結合して製造した上で、前見頃部２１又は後見頃部２３の他方に対して所定の着脱手段（例えば、面ファスナー等）にて着脱自在に固定可能となるように構成してもよいし、あるいは、前見頃部２１及び後見頃部２３の両方とは別体として製造した上で、前見頃部２１及び後見頃部２３に対して着脱手段にて着脱自在に固定可能となるように構成してもよい。このように構成した場合、肩部２４の取り付け長さ等を調整することにより、作業者１１の体格に合わせて本体部２０を着用させることが可能となる。
【００８３】
（本体部について（その２））
また、上記実施の形態の図３の本体部２０の後見頃部２３を、メッシュ素材以外にて製造してもよいし、例えば、ベルトの如き紐状の素材で製造してもよい。
【００８４】
（腕支持部について）
また、上記実施の形態の図４の腕支持部３０の構成を任意に変更等してもよい。例えば、基部３１又は上腕受部３２を硬質部材で構成する代わりに、内部に金属等のフレームを設けてもよい。また、図４の基部３１に設けられている２個の腕支持部側着脱部３１１のうちの１個のみを省略して、図４の図面左右方向における片側のみに腕支持部側着脱部３１１を設けてもよい。
【００８５】
（温度調整部について）
また、図７の温度調整部４３として、冷却体の代わりに発熱体を設けて加熱したり、あるいは、電池式で稼働する空調装置を設けて加熱又は冷却を行ってもよい。また、温度調整部４３を、疲労軽減ウェア１０における頭支持部４０以外に設けてもよい。具体的には、温度調整部４３を、本体部２０の後見頃部２３、又は、本体部２０の全体、あるいは、腕支持部３０に設けてもよい。
【００８６】
（肢体支持手段のバリエーションについて）
また、上記実施の形態においては、肢体支持手段を図１の腕支持部３０にて実現する場合について説明したが、これに限らない。例えば、作業者１１の肘付近から肩及び背中を介して太もも付近までかけ渡す弾性ベルトにて、肢体支持手段を実現してもよい。この場合、弾性ベルトにて、太もも又は肩を支点として腕を上方に支持することが可能となる。また、例えば、作業者の腕の下部から脇の下の胴体にわたって設けられる弾性支持装置にて、肢体支持手段を実現してもよい。この弾性支持装置については、腕の下部に設けられる第１の板材と、脇の下の胴体に設けられる第２の板材とが相互に弾性的に折れ曲がるように接続することによって構成してもよい。この場合、弾性支持装置にて、脇の下の胴体を支点として腕を上方に支持することが可能となる。
【００８７】
（腰部支持手段について）
また、上記実施の形態の疲労軽減ウェア１０に本体部２０に対して作業者１１の腰部に着用されるコルセットの如き腰部支持部（腰部支持手段）を設けてもよい。このように構成した場合、腰部支持部を備えることにより、例えば、肢体に加えて腰部も支持することができるので、作業者の肢体の疲労軽減に加えて腰部の疲労も軽減することができ、作業者の疲労を一層軽減することが可能となる。
【００８８】
（付記）
付記１の疲労軽減ウェアは、作業者が作業を行う場合の疲労を軽減する疲労軽減ウェアであって、前記作業者によって着用される前記疲労軽減ウェアであり、前記作業者が自己の肢体にて作業を行えるように、前記作業者の身体の少なくとも一部を支点として、前記作業者の肢体を支持する肢体支持手段、を備え、前記肢体支持手段は、前記作業者からの外力によって弾性的に変形する。
【００８９】
付記２の疲労軽減ウェアは、付記１に記載の疲労軽減ウェアにおいて、前記作業者の前記肢体以外の少なくとも一部に着用される固定手段であって、前記肢体支持手段の少なくとも一部を、前記作業者の身体における前記支点となる一部に固定する前記固定手段、を備える。
【００９０】
付記３の疲労軽減ウェアは、付記２に記載の疲労軽減ウェアにおいて、前記肢体支持手段と前記固定手段とは、相互に別体であり、前記疲労軽減ウェアは、前記肢体支持手段と前記固定手段とを相互に着脱可能に固定する肢体支持手段用着脱手段、を備える。
【００９１】
付記４の疲労軽減ウェアは、付記１から３の何れか一項に記載の疲労軽減ウェアにおいて、前記作業者の頭部を支持する頭部支持手段、を備える。
【００９２】
付記５の疲労軽減ウェアは、付記２又は３に記載の疲労軽減ウェアにおいて、前記作業者の頭部を支持する頭部支持手段であって、前記固定手段とは別体の前記頭部支持手段と、前記頭部支持手段と前記固定手段とを相互に着脱可能に固定する頭部支持手段用着脱手段と、を備える。
【００９３】
付記６の疲労軽減ウェアは、付記１から５の何れか一項に記載の疲労軽減ウェアにおいて、前記作業者の腰部を支持する腰部支持手段、を備える。
【００９４】
付記７の疲労軽減ウェアは、付記１から６の何れか一項に記載の疲労軽減ウェアにおいて、前記作業者に対して冷却又は加温する温度調整手段、を備える。
【００９５】
（付記の効果）
付記１に記載の疲労軽減ウェアによれば、肢体支持手段を備えることにより、例えば、作業者の肢体を肢体支持手段に支持された状態で自由に移動させる事ができるので、作業性を維持した状態で作業者の疲労を軽減することが可能となる。
【００９６】
付記２に記載の疲労軽減ウェアによれば、固定手段を備えることにより、例えば、肢体支持手段が作業者の体の支点となる一部からずれることを防止することができるので、肢体支持手段にて作業者の肢体を確実に支持することができ、作業者の疲労を確実に軽減することが可能となる。
【００９７】
付記３に記載の疲労軽減ウェアによれば、肢体支持手段用着脱手段を備えることにより、例えば、作業者が肢体支持手段と固定手段とを別々に着用又は脱衣することができるので、疲労軽減ウェアの着用又は脱衣を容易に行うことができ、当該疲労軽減ウェアの使用性を向上させることが可能となる。
【００９８】
付記４に記載の疲労軽減ウェアによれば、頭部支持手段を備えることにより、例えば、肢体に加えて頭部も支持することができるので、作業者の肢体の疲労軽減に加えて頸部の疲労も軽減することができ、作業者の疲労を一層軽減することが可能となる。
【００９９】
付記５に記載の疲労軽減ウェアによれば、頭部支持手段用着脱手段を備えることにより、例えば、作業者が頭部支持手段と固定手段とを別々に着用又は脱衣することができるので、疲労軽減ウェアの着用又は脱衣を容易に行うことができ、当該疲労軽減ウェアの使用性を向上させることが可能となる。
【０１００】
付記６に記載の疲労軽減ウェアによれば、腰部支持手段を備えることにより、例えば、肢体に加えて腰部も支持することができるので、作業者の肢体の疲労軽減に加えて腰部の疲労も軽減することができ、作業者の疲労を一層軽減することが可能となる。
【０１０１】
付記７に記載の疲労軽減ウェアによれば、冷却又は加温する温度調整手段を備えることにより、例えば、保冷剤や保温剤等を取付けることで作業者の体温を下げたり温めたりすることができるので、熱中症の予防・対策及び寒さによる怪我等を防止することができ、作業者の安全性を確保することが可能となる。特に、作業者の頸部に温度調整手段を設けた場合、身体における血流が比較的多い部分を冷却又は加温することができるので、作業者を効果的に冷却又は加温することが可能となる。
【符号の説明】
【０１０２】
１０  疲労軽減ウェア
１１  作業者
２０  本体部
２１  前見頃部
２２  打ち合わせ部
２３  後見頃部
２４  肩部
３０  腕支持部
３１  基部
３２  上腕受部
３３  巻付部
３４  継目部
３５  通気部
３６  弾性部
３７  吊下部
４０  頭支持部
４１  クッション部
４２  ベルト部
４３  温度調整部
２１１  本体部側着脱部
３１１  腕支持部側着脱部
４２１  頭支持部側着脱部
Ａ  矢印
Ｔ  先端部
【図１】
2019049069.tif 000003
【図２】
2019049069.tif 000004
【図３】
2019049069.tif 000005
【図４】
2019049069.tif 000006
【図５】
2019049069.tif 000007
【図６】
2019049069.tif 000008
【図７】
2019049069.tif 000009
【図８】
2019049069.tif 000010